(57)【特許請求の範囲】
【請求項１】
塗装室から排出される被処理空気に含まれる塗料ミストを捕集するフィルタと、
このフィルタに被処理空気を導く導風路に配置されて、この導風路を通過する被処理空気に対し粉剤を噴霧する粉剤ノズルとを備え、
この粉剤ノズルにより噴霧された粉剤を分散状態で含んだ被処理空気を前記フィルタに通過させることで、粉剤の集積層からなる塗料ミスト捕捉用のフィルタ被覆層を前記フィルタの表面に形成する状態で被処理ガス中の塗料ミストを前記フィルタにより捕集する塗料ミスト捕集装置であって、
密閉化した粉剤タンクにおいてタンク内に収容した粉剤を均一な浮遊分散状態に分散させてタンク内における空気中の粉剤濃度を均一化する粉剤分散手段を設け、
この粉剤分散手段による粉剤濃度の均一化に併行して、前記粉剤タンクにおける浮遊分散状態の粉剤をキャリア空気とともに粉剤供給路を通じて前記粉剤ノズルに供給する噴霧用空気搬送手段を設けてある塗料ミスト捕集装置。
【請求項２】
前記フィルタの表面から塗料ミスト含有状態の粉剤を落下させて前記フィルタを再生するフィルタ再生手段を設けるとともに、前記フィルタの表面から落下する塗料ミスト含有状態の粉剤を受け入れる受入ホッパを設け、
この受入ホッパの底部に形成した粉剤排出口を通じて前記受入ホッパの内部と前記粉剤タンクの内部とを連通させる状態で、前記受入ホッパの下方に前記粉剤タンクを配置し、
前記粉剤排出口を開閉する仕切扉を設けて、この仕切扉の開き操作により、前記受入ホッパの内部に堆積した塗料ミスト含有状態の粉剤を前記粉剤排出口を通じ前記粉剤タンクの内部に落下させて収容し、前記仕切扉の閉じ操作により粉剤収容状態の前記粉剤タンクを密閉化にする構成にしてある請求項１記載の塗料ミスト捕集装置。
【請求項３】
前記粉剤タンクに収容された塗料ミスト含有状態の粉剤をキャリア空気とともに粉剤排出路を通じて前記粉剤タンクから排出する排出用空気搬送手段を設け、
塗料ミスト未混入の新鮮粉剤をキャリア空気とともに新剤供給路を通じて前記粉剤タンクに供給する新剤用空気搬送手段を設けてある請求項２記載の塗料ミスト捕集装置。
【請求項４】
前記粉剤タンクに収容された塗料ミスト含有状態の粉剤をキャリア空気とともに粉剤排出路を通じて前記粉剤タンクから排出する排出用空気搬送手段を設け、
塗料ミスト未混入の新鮮粉剤をキャリア空気とともに新剤供給路を通じて供給する新剤用空気搬送手段を設けるとともに、
前記粉剤ノズルに対して連通させる供給路を、前記粉剤タンクからの前記粉剤供給路と前記新剤供給路とに切り換える供給路切換手段を設けてある請求項２記載の塗料ミスト捕集装置。
【請求項５】
設定回収時間ごとに前記仕切扉を開いて前記受入ホッパにおける塗料ミスト含有状態の堆積粉剤を前記粉剤タンクの内部に落下させる粉剤回収を自動的に実行する制御手段を設け、
この制御手段は、前記粉剤回収の実行に加えて、前記塗装室での塗装作業量が設定閾作業量に達するごとに、又は、前記仕切扉の開き回数が設定閾回数に達するごとに、前記排出用空気搬送手段により前記粉剤タンクにおける塗料ミスト含有状態の粉剤を前記粉剤排出路を通じて排出するとともに、前記新剤用空気搬送手段により前記新剤供給路を通じて所定量の新鮮粉剤を供給する粉剤更新を自動的に実行する構成にしてある請求項３又は４記載の塗料ミスト捕集装置。
【請求項６】
前記フィルタの表面から塗料ミスト含有状態の粉剤を落下させて前記フィルタを再生するフィルタ再生手段を設けるとともに、前記フィルタの表面から落下する塗料ミスト含有状態の粉剤を受け入れる受入ホッパを設け、
前記受入ホッパの内部に堆積した塗料ミスト含有状態の粉剤をキャリア空気とともに粉剤還流路を通じて前記粉剤タンクに戻す還流用空気搬送手段と、
前記粉剤タンクに収容された塗料ミスト含有状態の粉剤をキャリア空気とともに粉剤排出路を通じて前記粉剤タンクから排出する排出用空気搬送手段と、
塗料ミスト未混入の新鮮粉剤をキャリア空気とともに新剤供給路を通じて前記粉剤タンクに供給する新剤用空気搬送手段とを設けてある請求項１記載の塗料ミスト捕集装置。
【請求項７】
設定回収時間ごとに前記還流用空気搬送手段により前記受入ホッパにおける塗料ミスト含有状態の堆積粉剤を前記粉剤タンクに戻す粉剤回収を自動的に実行する制御手段を設け、
この制御手段は、前記粉剤回収の実行に加えて、前記塗装室での塗装作業量が設定閾作業量に達するごとに、又は、前記還流用空気搬送手段による粉剤の戻し回数が設定閾回数に達するごとに、前記排出用空気搬送手段により前記粉剤タンクにおける塗料ミスト含有状態の粉剤を前記粉剤排出路を通じて排出するとともに、前記新剤用空気搬送手段により前記新剤供給路を通じて所定量の新鮮粉剤を前記粉剤タンクに供給する粉剤更新を自動的に実行する構成にしてある請求項６記載の塗料ミスト捕集装置。
【請求項８】
前記フィルタと前記粉剤ノズルと前記受入ホッパとを備える塗料ミスト捕集部を複数設けて、これら複数の塗料ミスト捕集部に対する共通の前記粉剤タンクを設けるとともに、
複数の前記塗料ミスト捕集部の夫々について、前記共通の粉剤タンクから前記粉剤供給路を通じて前記粉剤ノズルに粉剤を供給する前記噴霧用空気搬送手段、及び、前記受入ホッパから塗料ミスト含有状態の粉剤を前記粉剤還流路を通じて前記共通の粉剤タンクに戻す前記還流用空気搬送手段を設けてある請求項６又は７記載の塗料ミスト捕集装置。
【請求項９】
加圧空気の透過を許す通気性材により形成した散気板を前記粉剤タンクの底部に配置して、この散気板により前記粉剤タンクの内部を、粉剤が収容される上側の粉剤収容室と撹拌用空気が加圧供給される下側の加圧空気室とに仕切るとともに、前記粉剤収容室に対して撹拌用空気を噴出する撹拌用ノズルを設け、
これら散気板及び撹拌用ノズルを前記粉剤分散手段として、前記加圧空気室から前記散気板を透過して前記粉剤収容室に対し上向きに噴出される撹拌用空気、及び、前記撹拌用ノズルから前記粉剤収容室に噴出される撹拌用空気により、前記粉剤収容室に収容された粉剤を均一な浮遊分散状態に分散させる構成にしてある請求項１〜８のいずれか１項に記載の塗料ミスト捕集装置。
【請求項１０】
前記粉剤タンクにおいて前記粉剤収容室に隣接する粉剤送出室を設けるとともに、この粉剤送出室から前記粉剤供給路を延出し、
前記粉剤収容室と前記粉剤送出室とを仕切る仕切壁には、それら両室を連通させる連通口として、前記粉剤収容室から前記粉剤送出室へ浮遊分散状態で流入する粉剤の流量を制限する絞り開口を形成してある請求項９記載の塗料ミスト捕集装置。
【請求項１１】
前記粉剤タンクから前記粉剤供給路を通じて粉剤を前記粉剤ノズルに供給する前記噴霧用空気搬送手段は、
供給される圧縮空気の通過に伴い形成される負圧により前記粉剤タンクから粉剤を吸入し、その負圧形成後の圧縮空気をキャリア空気として、吸入粉剤を負圧形成後の圧縮空気とともに送出するエゼクタにより構成し、
このエゼクタに対する圧縮空気の供給流量を調整することで、前記粉剤ノズルに対する粉剤の供給流量を調整して前記粉剤ノズルから噴霧する粉剤の噴霧量を調整する噴霧量調整手段を設けてある請求項１〜１０のいずれか１項に記載の塗料ミスト捕集装置。
【発明の詳細な説明】
【技術分野】
【０００１】
本発明は塗装室から排出される被処理空気に含まれる塗料ミストを捕集する塗料ミスト捕集装置に関し、詳しくは、
塗装室から排出される被処理空気に含まれる塗料ミストを捕集するフィルタと、このフィルタに被処理空気を導く導風路に配置されて、この導風路を通過する被処理空気に対し粉剤を噴霧する粉剤ノズルとを備え、この粉剤ノズルにより噴霧された粉剤を分散状態で含んだ被処理空気をフィルタに通過させることで、粉剤の集積層からなる塗料ミスト捕捉用のフィルタ被覆層を前記フィルタの表面に形成する状態で被処理ガス中の塗料ミストをフィルタにより捕集する塗料ミスト捕集装置に関する。
【背景技術】
【０００２】
特許文献１には、塗料ミストを含んだ状態で塗装室（１）から排出される被処理空気をバッグフィルタ（１１）に導く導風路（７，８）において、その導風路（７，８）を通過する被処理空気に対し粉剤ノズル（２６）から粉剤（補助ダスト）を噴霧することで、粉剤の集積層からなる塗料ミスト捕捉用のフィルタ被覆層をバッグフィルタ（１１）の表面に形成する状態で被処理空気中の塗料ミストをバッグフィルタ（１１）により捕集する塗料ミスト捕集装置が開示されている。（なお、括弧内の符号は特許文献１で使用の参照符号である）。
【０００３】
ところで、この特許文献１に開示された従来の塗料ミスト捕集装置では、いわゆる逆洗などによるバッグフィルタ（１１）の再生時にバッグフィルタ（１１）の表面から落下する塗料ミスト含有状態の粉剤（即ち、それまで塗料ミスト捕捉用のフィルタ被覆層を形成していた塗料混じりの粉剤）を受入ホッパ（１３）に受け入れた後、搬送量調整機能を備える搬送手段（１３．１）によりストックホッパ（２０）に送り、このストックホッパ（２０）に受け入れた塗料ミスト含有状態にある粉剤の一部を粉剤排出路（２７）を通じストックホッパ（２０）から取り出して再処理システムに送るようにしている。
【０００４】
そして、ストックホッパ（２０）に残る塗料ミスト含有状態の粉剤には、塗料ミスト未混入の新鮮粉剤を計量して補充することで、ストックホッパ（２０）における粉剤全体としての塗料ミスト含有率を平均的に低減し、このように塗料ミスト含有率を低減した粉剤をストックホッパ（２０）から粉剤取出路（２３）を通じ取り出して、空気圧式搬送機（２４）によりキャリア空気とともに粉剤供給路（２５）を通じ粉剤ノズル（２６）に圧送供給するようにしている。
【０００５】
即ち、この塗料ミスト捕集装置では、バッグフィルタ（１１）から落下する塗料ミスト含有状態にある粉剤の一部を、新鮮粉剤の混合により塗料ミスト含有率を平均的に低減した状態で粉剤ノズル（２６）から再噴霧して循環使用するようにしている。
【０００６】
また、この特許文献１に開示された塗料ミスト捕集装置では、受入ホッパ（１３）内における塗料ミスト含有状態の粉剤（即ち、塗料ミストの含有によりブリッジ化傾向が高くなった粉剤）を空気圧システムにより解した状態又は流動化した状態に保つことや、ストックホッパ（２０）内における塗料ミスト含有状態の粉剤を流動化装置により解して流動化した状態に保つことが提案されている。
【先行技術文献】
【特許文献】
【０００７】
【特許文献１】ドイツ特許公報ＤＥ４２１１４６５Ａ１
【発明の概要】
【発明が解決しようとする課題】
【０００８】
しかし、上記の如く受入ホッパ（１３）内やストックホッパ（２０）内における塗料ミスト含有状態の粉剤を単に解して流動化した状態に保つだけでは、その流動化状態の粉剤を空気圧式搬送機（２４）によりキャリア空気とともに粉剤供給路（２５）を通じ粉剤ノズル（２６）に圧送供給するにしても、粉剤供給路（２５）でのキャリア空気中における粉剤の分散状態（換言すれば、キャリア空気中の粉剤濃度）に偏りやムラが生じ易く、それが原因で粉剤ノズル（２６）からの粉剤噴霧が不安定になって不良化し易い問題があった。
【０００９】
そして、このことが原因で、塗料ミスト捕捉用フィルタ被覆層としての粉剤集積層の形成が部分的に不十分な箇所がフィルタ表面に生じるなどの被覆層形成不良が生じて、被処理空気中の塗料ミストが直接にフィルタ表面に粘着する状態でフィルタに捕集されてしまう不都合を招き易い問題があった。
【００１０】
また、この問題に対処するのに、粉剤ノズル（２６）に対する単位時間当たりの粉剤供給量を過剰気味にして、粉剤ノズル（２６）からの粉剤噴霧量に大きな安全率を見込むようにすると、空気圧式搬送機（２４）による粉剤搬送に要する動力が大きくなって省エネルギ化の面で不利になる問題があった。
【００１１】
この実情に鑑み、本発明の主たる課題は、合理的な改良により上記問題を効果的に解消する点にある。
【課題を解決するための手段】
【００１２】
本発明の第１特徴構成は塗料ミスト捕集装置に係り、その特徴は、
塗装室から排出される被処理空気に含まれる塗料ミストを捕集するフィルタと、
このフィルタに被処理空気を導く導風路に配置されて、この導風路を通過する被処理空気に対し粉剤を噴霧する粉剤ノズルとを備え、
この粉剤ノズルにより噴霧された粉剤を分散状態で含んだ被処理空気を前記フィルタに通過させることで、粉剤の集積層からなる塗料ミスト捕捉用のフィルタ被覆層を前記フィルタの表面に形成する状態で被処理ガス中の塗料ミストを前記フィルタにより捕集する塗料ミスト捕集装置であって、
密閉化した粉剤タンクにおいてタンク内に収容した粉剤を均一な浮遊分散状態に分散させてタンク内における空気中の粉剤濃度を均一化する粉剤分散手段を設け、
この粉剤分散手段による粉剤濃度の均一化に併行して、前記粉剤タンクにおける浮遊分散状態の粉剤をキャリア空気とともに粉剤供給路を通じて前記粉剤ノズルに供給する噴霧用空気搬送手段を設けてある点にある。
【００１３】
この構成によれば、粉剤を単に解して流動化するのに止まらず、密閉化した粉剤タンクにおいてタンク内の粉剤を粉剤分散手段により均一な浮遊分散状態（即ち、タンク内における空気中の粉剤濃度を均一化した状態）に分散させておき、この浮遊分散状態の粉剤を噴霧用空気搬送手段によりキャリア空気とともに粉剤供給路を通じて粉剤ノズルに供給するから、先述した従来の塗料ミスト捕集装置の如く単に解して流動化しただけの粉剤をキャリア空気とともに粉剤供給路を通じて粉剤ノズルに供給するのに比べ、粉剤ノズルに対する粉剤供給路でのキャリア空気中における粉剤の浮遊分散状態（換言すれば、キャリア空気中における粉剤濃度）を一層効果的に均一化することができ、そのことで、被処理空気に対する粉剤ノズルからの粉剤噴霧を均一で良好な噴霧するとともに、その良好な粉剤噴霧を安定的に保つことができる。
【００１４】
そして、このことにより塗料ミスト捕捉用フィルタ被覆層としての粉剤集積層をフィルタ表面において均一な状態で良好かつ安定的に形成することができ、これにより、被覆層形成不良により被処理空気中の塗料ミストが直接にフィルタ表面に粘着する状態でフィルタに捕集されてしまう不都合を一層効果的に防止することができて、塗料ミスト捕集性に一層優れた塗料ミスト捕集装置にすることができる。
【００１５】
また、このことで、粉剤ノズルからの粉剤噴霧量に見込む安全率も小さなものにすることができて、先述の如き粉剤ノズルに対する過剰的な粉剤供給も回避することができ、これにより、粉剤搬送に要する動力も低減することができて省エネルギ化の面でも優れた塗料ミスト捕集装置にすることができる。
【００１６】
本発明の第２特徴構成は、第１特徴構成の実施に好適な実施形態を特定するものであり、その特徴は、
前記フィルタの表面から塗料ミスト含有状態の粉剤を落下させて前記フィルタを再生するフィルタ再生手段を設けるとともに、前記フィルタの表面から落下する塗料ミスト含有状態の粉剤を受け入れる受入ホッパを設け、
この受入ホッパの底部に形成した粉剤排出口を通じて前記受入ホッパの内部と前記粉剤タンクの内部とを連通させる状態で、前記受入ホッパの下方に前記粉剤タンクを配置し、
前記粉剤排出口を開閉する仕切扉を設けて、この仕切扉の開き操作により、前記受入ホッパの内部に堆積した塗料ミスト含有状態の粉剤を前記粉剤排出口を通じ前記粉剤タンクの内部に落下させて収容し、前記仕切扉の閉じ操作により粉剤収容状態の前記粉剤タンクを密閉化にする構成にしてある点にある。
【００１７】
この構成によれば、通常は仕切扉を閉じ状態にして粉剤タンクを密閉化しておくことで、粉剤タンクにおいてタンク内の粉剤を粉剤分散手段により均一な浮遊分散状態に保っておくことができ、これにより、前述の如く粉剤ノズルに対する粉剤供給路でのキャリア空気中における粉剤濃度を効果的に均一化して粉剤ノズルからの良好な粉剤噴霧を安定的に保つことができ、また、フィルタ再生手段によるフィルタ再生を適時行うことに対し、そのフィルタ再生においてフィルタ表面から落下する塗料ミスト含有状態の粉剤を受入ホッパに受け入れて一時保管することができる。
【００１８】
そして、粉剤タンクにおける粉剤がある程度まで減少したときには、仕切扉を開き操作することで、仕切扉が閉じ状態にあった間に受入ホッパに堆積した塗料ミスト含有状態の粉剤を粉剤排出口を通じ粉剤タンクの内部に落下させて粉剤タンクに補充することができ、その後、仕切扉を閉じ操作して粉剤タンクを再び密閉化することで、キャリア空気中における粉剤濃度を均一化した状態での粉剤ノズルに対する粉剤供給を速やかに再開することができる。
【００１９】
即ち、この構成によれば、粉剤タンクの密閉化操作と粉剤タンクに対する受入ホッパからの粉剤補充操作とを仕切扉の開閉操作だけで簡単に行うことができ、これにより、装置構成を簡素化して装置コストを安価にするとともに、装置の運転管理も容易にすることができる。
【００２０】
本発明の第３特徴構成は、第２特徴構成の実施に好適な実施形態を特定するものであり、その特徴は、
前記粉剤タンクに収容された塗料ミスト含有状態の粉剤をキャリア空気とともに粉剤排出路を通じて前記粉剤タンクから排出する排出用空気搬送手段を設け、
塗料ミスト未混入の新鮮粉剤をキャリア空気とともに新剤供給路を通じて前記粉剤タンクに供給する新剤用空気搬送手段を設けてある点にある。
【００２１】
つまり、受入ホッパに堆積した塗料ミスト含有状態の粉剤を仕切扉の開き操作により粉剤タンクに補充して再使用することを複数回にわたって繰り返すと、粉剤タンクから受入ホッパにわたる粉剤循環系において保有する粉剤の塗料ミスト含有率が次第に高くなってブリッジ化傾向が強くなるため、その保有粉剤はフィルタ被覆層形成用の粉剤として粉剤ノズルから噴霧するには次第に不適なものになる。
【００２２】
このことに対し、上記構成によれば、粉剤タンクから受入ホッパにわたる粉剤循環系において保有する粉剤の塗料ミスト含有率がある程度まで高くなったとき、仕切扉の開き操作により受入ホッパから落下させて粉剤タンクに収容した塗料ミスト含有状態の粉剤を排出用空気搬送手段によりキャリア空気とともに粉剤排出路を通じ粉剤タンクから排出するとともに、塗料ミスト未混入の新鮮粉剤を新剤用空気搬送手段によりキャリア空気とともに新剤供給路を通じて粉剤タンクに供給することで、粉剤タンクから受入ホッパにわたる粉剤循環系において保有する粉剤を更新することができる。
【００２３】
そして、この粉剤更新を適時に行うことで、粉剤ノズルからの粉剤噴霧により塗料ミスト捕捉用フィルタ被覆層としての粉剤集積層をフィルタ表面に形成する状態での塗料ミスト捕集を長期にわたって良好に実施することができる。
【００２４】
なお、上記構成の実施において粉剤更新の具体的な実施形態としては、粉剤循環系において保有する粉剤の全量を適当時間ごとに一括に更新する形態、あるいは、粉剤循環系において保有する粉剤を適当時間ごとに一部量ずつ更新する形態、あるいはまた、単位時間当たりの粉剤更新量を制限した状態で粉剤更新を連続的に実施する形態のいずれを採ってもよいが、粉剤循環系において保有する粉剤の全量を適当時間ごとに一括に更新する形態を採れば、粉剤更新の実施頻度を低減することができて、その分、装置の運転管理を容易にすることができる。
【００２５】
本発明の第４特徴構成は、同じく第２特徴構成の実施に好適な実施形態を特定するものであり、その特徴は、
前記粉剤タンクに収容された塗料ミスト含有状態の粉剤をキャリア空気とともに粉剤排出路を通じて前記粉剤タンクから排出する排出用空気搬送手段を設け、
塗料ミスト未混入の新鮮粉剤をキャリア空気とともに新剤供給路を通じて供給する新剤用空気搬送手段を設けるとともに、
前記粉剤ノズルに対して連通させる供給路を、前記粉剤タンクからの前記粉剤供給路と前記新剤供給路とに切り換える供給路切換手段を設けてある点にある。
【００２６】
この構成によれば、粉剤タンクから受入ホッパにわたる粉剤循環系において保有する粉剤の塗料ミスト含有率がある程度まで高くなったとき、仕切扉の開き操作により受入ホッパから落下させて粉剤タンクに収容した塗料ミスト含有状態の粉剤を排出用空気搬送手段によりキャリア空気とともに粉剤排出路を通じ粉剤タンクから排出するとともに、粉剤ノズルに対して連通させる供給路を粉剤タンクからの粉剤供給路に代えて新剤供給路に切り換えた状態で、塗料ミスト未混入の新鮮粉剤を新剤用空気搬送手段によりキャリア空気とともに新剤供給路を通じ粉剤ノズルに供給して粉剤ノズルから噴霧することで、粉剤タンクから受入ホッパにわたる粉剤循環系において保有する粉剤を更新することができる。
【００２７】
そして、この粉剤更新を適時に行うことで、第３特徴構成の場合と同様、粉剤ノズルからの粉剤噴霧により塗料ミスト捕捉用フィルタ被覆層としての粉剤集積層をフィルタ表面に形成する状態での塗料ミスト捕集を長期にわたって良好に実施することができる。
【００２８】
また、この構成によれば、仕切扉を閉じ状態にしておくことで、粉剤タンクにおける粉剤を排出用空気搬送手段により排出するのに併行して、粉剤ノズルから新鮮粉剤を噴霧する粉剤更新を行えることから、その粉剤更新中にも粉剤ノズルからの粉剤噴霧を伴う塗料ミスト捕集を通常時と同様に安定した状態で継続することができる。
【００２９】
なお、上記構成の実施において粉剤更新の具体的な実施形態としては、粉剤循環系において保有する粉剤の全量を適当時間ごとに一括に更新する形態、あるいは、粉剤循環系において保有する粉剤を適当時間ごとに一部量ずつ更新する形態のいずれを採ってもよい。
【００３０】
本発明の第５特徴構成は、第３又は第４特徴構成の実施に好適な実施形態を特定するものであり、その特徴は、
設定回収時間ごとに前記仕切扉を開いて前記受入ホッパにおける塗料ミスト含有状態の堆積粉剤を前記粉剤タンクの内部に落下させる粉剤回収を自動的に実行する制御手段を設け、
この制御手段は、前記粉剤回収の実行に加えて、前記塗装室での塗装作業量が設定閾作業量に達するごとに、又は、前記仕切扉の開き回数が設定閾回数に達するごとに、前記排出用空気搬送手段により前記粉剤タンクにおける塗料ミスト含有状態の粉剤を前記粉剤排出路を通じて排出するとともに、前記新剤用空気搬送手段により前記新剤供給路を通じて所定量の新鮮粉剤を供給する粉剤更新を自動的に実行する構成にしてある点にある。
【００３１】
この構成によれば、上記の粉剤回収及び粉剤更新の夫々が制御手段により自動的に実行されることで、それら粉剤回収及び粉剤更新の夫々を人為操作により行うのに比べ、装置の運転管理を格段に容易にすることができる。
【００３２】
また、粉剤更新については、別法として、粉剤タンクから受入ホッパにわたる粉剤循環系において保有する粉剤の塗料ミスト含有率や比重などの粉剤状態をセンサにより計測して、その計測結果に基づき粉剤更新を制御手段に実行させることも考えられるが、こびり付きや舞い散りなどの粉剤特性上、粉剤の状態をセンサにより精度良く安定して継続的に計測することは技術的に難しくて大きな計測誤差が生じ易く、この粉剤特性に原因する大きな計測誤差のために装置の運転において不測のトラブルを招く虞がある。
【００３３】
これに対し、上記構成によれば、粉剤状態の計測に基づく粉剤更新に代え、塗装室での塗装作業量が設定閾作業量に達するごとに、又は、仕切扉の開き回数が設定閾回数に達するごとに粉剤更新を制御手段に実行させるから、上記の如き粉剤特性に原因する大きな計測誤差のために不測のトラブルを招くことを回避することができ、この点で、信頼性にも一層優れた塗料ミスト捕集装置にすることができる。
【００３４】
本発明の第６特徴構成は、第２特徴構成と同様、第１特徴構成の実施に好適な実施形態を特定するものであり、その特徴は、
前記フィルタの表面から塗料ミスト含有状態の粉剤を落下させて前記フィルタを再生するフィルタ再生手段を設けるとともに、前記フィルタの表面から落下する塗料ミスト含有状態の粉剤を受け入れる受入ホッパを設け、
前記受入ホッパの内部に堆積した塗料ミスト含有状態の粉剤をキャリア空気とともに粉剤還流路を通じて前記粉剤タンクに戻す還流用空気搬送手段と、
前記粉剤タンクに収容された塗料ミスト含有状態の粉剤をキャリア空気とともに粉剤排出路を通じて前記粉剤タンクから排出する排出用空気搬送手段と、
塗料ミスト未混入の新鮮粉剤をキャリア空気とともに新剤供給路を通じて前記粉剤タンクに供給する新剤用空気搬送手段とを設けてある点にある。
【００３５】
この構成によれば、前述の如く仕切扉の開き操作により受入ホッパにおける堆積粉剤を受入ホッパ底部の粉剤排出口を通じて粉剤タンクに落下させるのに代え、受入ホッパの内部に堆積した塗料ミスト含有状態の粉剤を還流用空気搬送手段によりキャリア空気とともに粉剤還送路を通じて粉剤タンクに戻すから、粉剤タンクを常時密閉化した状態に保つことができる。
【００３６】
即ち、この常時密閉化により、粉剤タンクにおいてタンク内の粉剤を粉剤分散手段により均一な浮遊分散状態に保っておくことができ、これにより、前述の如く粉剤ノズルに対する粉剤供給路でのキャリア空気中における粉剤濃度を効果的に均一化して粉剤ノズルからの良好な粉剤噴霧を安定的に保つことができる。
【００３７】
そして、粉剤タンクにおける粉剤がある程度まで減少したときには、受入ホッパの内部に堆積した塗料ミスト含有状態の粉剤を還流用空気搬送手段によりキャリア空気とともに粉剤還送路を通じて粉剤タンクに戻すことで粉剤タンクに粉剤を補充することができ、これにより、粉剤ノズルに対する粉剤供給路でのキャリア空気中における粉剤濃度を均一化した状態での粉剤ノズルに対する粉剤供給を継続することができる。
【００３８】
また、上記構成によれば、粉剤タンクから受入ホッパにわたる粉剤循環系において保有する粉剤の塗料ミスト含有率がある程度まで高くなったときは、受入ホッパから戻して粉剤タンクに収容した塗料ミスト含有状態の粉剤を排出用空気搬送手段によりキャリア空気とともに粉剤排出路を通じ粉剤タンクから排出するとともに、塗料ミスト未混入の新鮮粉剤を新剤用空気搬送手段によりキャリア空気とともに新剤供給路を通じて粉剤タンクに供給することで、粉剤循環系において保有する粉剤を更新することができ、この粉剤更新を適時に行うことで、粉剤ノズルからの粉剤噴霧を伴う塗料ミスト捕集を長期にわたって良好に実施することができる。
【００３９】
要するに、上記構成によれば、粉剤タンクを受入ホッパから離れた適当箇所に配置しながらも、受入ホッパから粉剤タンクへの粉剤回収、及び、粉剤タンクから受入ホッパにわたる粉剤循環系に対する粉剤更新を行えることで、装置各部の配置選定における自由度を高めることができ、この点で、設置性や汎用性にも優れた塗料ミスト捕集装置にすることができる。
【００４０】
なお、上記構成の実施において粉剤更新の具体的な実施形態としては、粉剤循環系において保有する粉剤の全量を適当時間ごとに一括に更新する形態、あるいは、粉剤循環系において保有する粉剤を適当時間ごとに一部量ずつ更新する形態、あるいはまた、単位時間当たりの粉剤更新量を制限した状態で粉剤更新を連続的に実施する形態のいずれを採ってもよい。
【００４１】
本発明の第７特徴構成は、第６特徴構成の実施に好適な実施形態を特定するものであり、その特徴は、
設定回収時間ごとに前記還流用空気搬送手段により前記受入ホッパにおける塗料ミスト含有状態の堆積粉剤を前記粉剤還流路を通じて前記粉剤タンクに戻す粉剤回収を自動的に実行する制御手段を設け、
この制御手段は、前記粉剤回収の実行に加えて、前記塗装室での塗装作業量が設定閾作業量に達するごとに、又は、前記還流用空気搬送手段による粉剤の戻し回数が設定閾回数に達するごとに、前記排出用空気搬送手段により前記粉剤タンクにおける塗料ミスト含有状態の粉剤を前記粉剤排出路を通じて排出するとともに、前記新剤用空気搬送手段により前記新剤供給路を通じて所定量の新鮮粉剤を前記粉剤タンクに供給する粉剤更新を自動的に実行する構成にしてある点にある。
【００４２】
この構成によれば、前述の第５特徴構成と同様、上記の粉剤回収及び粉剤更新の夫々が制御手段により自動的に実行されることで、それら粉剤回収及び粉剤更新の夫々を人為操作により行うのに比べ、装置の運転管理を格段に容易にすることができる。
【００４３】
また、粉剤更新については、前述の如く別法として、粉剤タンクから受入ホッパにわたる粉剤循環系において保有する粉剤の塗料ミスト含有率や比重などの粉剤状態をセンサにより計測して、その計測結果に基づき粉剤更新を制御手段に実行させることも考えられるが、こびり付きや舞い散りなどの粉剤特性上、粉剤の状態をセンサにより精度良く安定して継続的に計測することは技術的に難しくて大きな計測誤差が生じ易く、この粉剤特性に原因する大きな計測誤差のために装置の運転において不測のトラブルを招く虞がある。
【００４４】
これに対し、上記構成によれば、粉剤状態の計測に基づく粉剤更新に代え、塗装室での塗装作業量が設定閾作業量に達するごとに、又は、還流用空気搬送手段による粉剤の戻し回数が設定閾回数に達するごとに粉剤更新を制御手段に実行させるから、上記の如き粉剤特性に原因する大きな計測誤差のために不測のトラブルを招くことを回避することができ、この点で、信頼性にも一層優れた塗料ミスト捕集装置にすることができる。
【００４５】
本発明の第８特徴構成は、第６又は第７特徴構成の実施に好適な実施形態を特定するものであり、その特徴は、
前記フィルタと前記粉剤ノズルと前記受入ホッパとを備える塗料ミスト捕集部を複数設けて、これら複数の塗料ミスト捕集部に対する共通の前記粉剤タンクを設けるとともに、
複数の前記塗料ミスト捕集部の夫々について、前記共通の粉剤タンクから前記粉剤供給路を通じて前記粉剤ノズルに粉剤を供給する前記噴霧用空気搬送手段、及び、前記受入ホッパから塗料ミスト含有状態の粉剤を前記粉剤還流路を通じて前記共通の粉剤タンクに戻す前記還流用空気搬送手段を設けてある点にある。
【００４６】
この構成によれば、複数の塗料ミスト捕集部に対し共通の粉剤タンクを設け、そして、この共通の粉剤タンクから各塗料ミスト捕集部の粉剤ノズルに粉剤を供給し、また、各塗料ミスト捕集部の受入ホッパから塗料ミスト含有状態の粉剤を共通の粉剤タンクに戻す形態を採ることから、複数の塗料ミスト捕集部ごとに各別の粉剤タンクを装備するのに比べ、全体としての装置構成を簡素化することができて装置コストを安価にすることができ、また、装置の運転管理も容易にすることができる。
【００４７】
本発明の第９特徴構成は、第１〜第８特徴構成のいずれかの実施に好適な実施形態を特定するものであり、その特徴は、
加圧空気の透過を許す通気性材により形成した散気板を前記粉剤タンクの底部に配置して、この散気板により前記粉剤タンクの内部を、粉剤が収容される上側の粉剤収容室と撹拌用空気が加圧供給される下側の加圧空気室とに仕切るとともに、前記粉剤収容室に対して撹拌用空気を噴出する撹拌用ノズルを設け、
これら散気板及び撹拌用ノズルを前記粉剤分散手段として、前記加圧空気室から前記散気板を透過して前記粉剤収容室に対し上向きに噴出される撹拌用空気、及び、前記撹拌用ノズルから前記粉剤収容室に噴出される撹拌用空気により、前記粉剤収容室に収容された粉剤を均一な浮遊分散状態に分散させる構成にしてある点にある。
【００４８】
この構成によれば、散気板を透過して粉剤収容室に対し上向きに噴出する撹拌用空気により粉剤収容室における粉剤を分散状態で上昇させて浮遊させることができ、また、撹拌用ノズルから粉剤収容室に噴出される撹拌用空気により粉剤収容室の室内空気を対流的に撹拌する状態にして粉剤収容室における粉剤を対流的に撹拌することができ、これらのことが相俟って粉剤収容室における粉剤を効果的に均一な浮遊分散状態に分散させることができて、その均一な浮遊分散状態を安定的に保つことができる。
【００４９】
本発明の第１０特徴構成は、第９特徴構成の実施に好適な実施形態を特定するものであり、その特徴は、
前記粉剤タンクにおいて前記粉剤収容室に隣接する粉剤送出室を設けるとともに、この粉剤送出室から前記粉剤供給路を延出し、
前記粉剤収容室と前記粉剤送出室とを仕切る仕切壁には、それら両室を連通させる連通口として、前記粉剤収容室から前記粉剤送出室へ浮遊分散状態で流入する粉剤の流量を制限する絞り開口を形成してある点にある。
【００５０】
この構成によれば、絞り開口による通気抵抗により粉剤収容室における粉剤の浮遊分散状態を安定化するともに、浮遊分散状態にある粉剤の粉剤収容室から粉剤送出室への流入も安定化することができ、これらのことで、粉剤供給路を通じた粉剤送出室から粉剤ノズルへの粉剤供給を一層効果的に安定化することができて、粉剤ノズルからの粉剤噴霧を一層効果的に安定化することができる。
【００５１】
本発明の第１１特徴構成は、第１〜第１０特徴構成のいずれかの実施に好適な実施形態を特定するものであり、その特徴は、
前記粉剤タンクから前記粉剤供給路を通じて粉剤を前記粉剤ノズルに供給する前記噴霧用空気搬送手段は、
供給される圧縮空気の通過に伴い形成される負圧により前記粉剤タンクから粉剤を吸入し、その負圧形成後の圧縮空気をキャリア空気として、吸入粉剤を負圧形成後の圧縮空気とともに送出するエゼクタにより構成し、
このエゼクタに対する圧縮空気の供給流量を調整することで、前記粉剤ノズルに対する粉剤の供給流量を調整して前記粉剤ノズルから噴霧する粉剤の噴霧量を調整する噴霧量調整手段を設けてある点にある。
【００５２】
この構成によれば、エゼクタにおいて圧縮空気により形成される負圧により粉剤タンクから粉剤をエゼクタに吸入して、その吸入粉剤を負圧形成後の圧縮空気（キャリア空気）とともに粉剤供給路を通じエゼクタから粉剤ノズルに供給するから、別の空気搬送形態として、粉剤タンクにおける粉剤を単に圧縮空気により粉剤タンクから粉剤供給路に押し出して粉剤ノズルに圧送するのに比べ、浮遊分散状態にある粉剤タンク内の粉剤を一層円滑かつ安定的な状態で粉剤タンクから取り出すことができ、これにより、粉剤ノズルへの粉剤供給を一層効果的に安定化することができる。
【００５３】
また、そのエゼクタを利用して粉剤ノズルからの粉剤噴霧量を調整することで、粉剤噴霧量の調整も円滑かつ安定的なものにすることができる。
【図面の簡単な説明】
【００５４】
【図１】塗装ブースの横断面図
【図２】図１におけるII−II断面図
【図３】流入口の拡大断面図
【図４】第１実施形態における粉剤の循環経路を示す図
【図５】第１実施形態における新鮮粉剤及び排出粉剤の搬送経路を示す図
【図６】第２実施形態における粉剤の循環経路を示す図
【図７】第２実施形態における新鮮粉剤及び排出粉剤の搬送経路を示す図
【図８】第３実施形態における粉剤の循環経路を示す図
【図９】第３実施形態における新鮮粉剤及び排出粉剤の搬送経路を示す図
【発明を実施するための形態】
【００５５】
〔第１実施形態〕
図１は塗装ブースを示し、この塗装ブースは室内において被塗物１（本例では自動車ボディ）を塗装ガンにより塗装する塗装室２を備え、この塗装室２には被塗物１を搬送する搬送装置３を装備してある。
【００５６】
塗装室２は被塗物１の搬送方向（図１における奥行き方向）に延びるトンネル状の室内空間を有し、この塗装室２にはトンネル状の室内全体に対して温湿度調整した換気用空気ＳＡが天井部２ａから供給される。
【００５７】
塗装室２の下方には、塗装室２と同じく被塗物１の搬送方向に延びる排気室４を形成してあり、この排気室４は、塗装室２に対する換気用空気ＳＡの供給に伴い塗装室２から格子床２ｂを通じて下向きに排出される被処理空気ＥＡ（塗装室２でのオーバースプレーで生じた浮遊塗料ミストを含む空気）を受け入れる。
【００５８】
つまり、塗装室２の天井部２ａから換気用空気ＳＡを供給するのに伴い、ピストン流的に塗装室２の室内空気ＥＡを下方の排気室４へ排出することで、塗装室２において生じる浮遊塗料ミストを室内空気ＥＡとともに迅速に塗装室２から排除し、これにより、被塗物１の塗装品質を高く保つとともに塗装室２の作業環境を良好に保つ。
【００５９】
図１，図２に示すように、排気室４の両横外側には夫々、複数のフィルタ装置５を被塗物１の搬送方向である塗装ブース長手方向に並べて配置してあり、塗装室２から排出されて排気室４に流入する塗料ミスト含有状態の被処理空気ＥＡを、これらフィルタ装置５に通過させることで、被処理空気ＥＡに含まれる塗料ミストをフィルタ装置５により捕集して被処理空気ＥＡを浄化する。
【００６０】
そして、フィルタ装置５で浄化した被処理空気ＥＡ（即ち、処理済の浄化空気）は、各フィルタ装置５に接続した排気ダクト６を通じて排気ファン７により外部へ排出（又は、換気用空気ＳＡとして空調機を通じ塗装室２へ還送）する。
【００６１】
各フィルタ装置５の内部には、複数の筒状フィルタ８を横向き姿勢で並列配置してあり、また、フィルタ装置５の装置壁を兼ねる排気室４の側壁４ａには、塗料ミストを含む被処理空気ＥＡを排気室４からフィルタ装置５に導入してフィルタ８に導く導風路として、横長矩形状の流入口１０を各フィルタ装置５に２口ずつ形成してある。
【００６２】
即ち、各フィルタ装置５の上部に接続した排気ダクト６を通じて排気ファン７により付与される吸引力により、塗料ミストを含む被処理空気ＥＡを排気室４から２つの流入口１０を通じ各フィルタ装置５に流入させてフィルタ８に通過させ、これにより、被処理空気ＥＡ中の塗料ミストをフィルタ８により捕集する。
【００６３】
一方、この塗料ミスト捕集において被処理空気ＥＡ中の塗料ミストがフィルタ８の表面に粘着してフィルタ８が短期間のうちに使用不能となるのを回避するため、各フィルタ装置５の各流入口１０には、それら流入口１０を通過する被処理空気ＥＡに対してフィルタ被覆層形成用の粉剤Ｐを噴霧する粉剤ノズル１１を装備してある。
【００６４】
つまり、この粉剤ノズル１１による粉剤噴霧によりフィルタ被覆層形成用の粉剤Ｐを被処理空気ＥＡ中に分散させ、この粉剤分散状態の被処理空気ＥＡをフィルタ８に通過させることで、粉剤Ｐの集積層から成る塗料ミスト捕捉用のフィルタ被覆層をフィルタ８の表面に形成して、このフィルタ被覆層に塗料ミストを捕捉させる形態で被処理空気ＥＡ中の塗料ミストをフィルタ８により捕集する。
【００６５】
そして、この塗料ミスト捕集においてフィルタ被覆層としての粉剤集積層における捕捉塗料ミストの含有率がある程度まで大きくなると、その粉剤集積層をフィルタ８の表面から脱落させるフィルタ再生処理を行って、粉剤ノズル１１による被処理空気ＥＡへの粉剤噴霧により再生後のフィルタ８の表面に粉剤集積層からなるフィルタ被覆層が再度形成されるようにし、これにより、被処理空気ＥＡ中の塗料ミストをフィルタ８により捕集する塗料ミスト捕集運転を継続する。
【００６６】
ブース長手方向に並べて配置した複数のフィルタ装置５の流入口１０は、ブース長手方向に一列に並ぶ状態で排気室４の両側壁４ａ夫々の下端部に形成してあり、これにより、塗装室２から排気室４に下向きに流入する被処理空気ＥＡは、ブース横幅方向で大きく２流に分流し、そして、これら２流の被処理空気ＥＡは、ブース長手方向において均一な気流状態を保ちながら、排気室４の両側壁４ａ夫々の下端部に位置する流入口１０に向かって排気室４内を斜行し、最終的に排気室４の底壁４ｂ近くで各フィルタ装置５の流入口１０に偏りなく分流されて吸入される。
【００６７】
図３に示すように、フィルタ装置５の各流入口１０における上壁部には、下向きに開口する断面形状の滞留用凹部１２を形成してあり、この滞留用凹部１２は、流入口１０の横幅方向（即ち、ブース長手方向）に連続させた状態で各流入口１０の全幅にわたって形成してある。
【００６８】
さらに具体的には、流入口１０における被処理空気ＥＡの通過方向において、滞留用凹部１２の上流側の端縁部は、排気室４の側壁４ａに連なる縦姿勢の上流側垂れ壁１２ａにし、同様に、この滞留用凹部１２の下流側端縁部は、縦姿勢の下流側垂れ壁１２ｂにしてある。
【００６９】
また、流入口１０の下壁部には、上壁部の滞留用凹部１２に対して対向し、かつ、流入口１０における被処理空気ＥＡの通過方向において下流側ほど低くなる傾斜底１３を形成してあり、この傾斜底１３も流入口１０の横幅方向に連続させた状態で各流入口１０の全幅にわたって形成してある。
【００７０】
そして、流入口１０における被処理空気ＥＡの通過方向において、傾斜底１３の上流側端縁部は、滞留用凹部１２の上流側垂れ壁１２ａに向かって立ち上がる縦姿勢の上流側立上り壁１３ａにしてある。
【００７１】
各流入口１０は全体として上壁部の滞留用凹部１２と下壁部の傾斜底１３と両側壁部とからなる角筒構造にしてあり、滞留用凹部１２の上流側垂れ壁１２ａとその下方に位置する傾斜底１３の上流側立上り壁１３ａとの間を角筒構造の上流側開口１０ａとし、滞留用凹部１２の下流側垂れ壁１２ｂとその下方に位置する傾斜底１３の下流側端縁部１３ｂとの間を角筒構造の下流側開口１０ｂとしている。
【００７２】
また、この流入口１０の角筒構造において、下流側垂れ壁１２ｂは上流側垂れ壁１２ａより低位置に配置してあり、これにより、角筒構造の下流側開口１０ｂが上流側開口１０ａより低い位置に位置するようにしてある。
【００７３】
このような角筒構造の流入口１０において、粉剤ノズル１１は、各流入口１０の長手方向である横幅方向の中央箇所から滞留用凹部１２の奥部内面に向けて粉剤Ｐをキャリア空気ａ４とともに噴霧する状態に配置してある。
【００７４】
つまり、流入口１０における被処理空気ＥＡの流れが滞留用凹部１２の下向き開口の近傍を通過する状況下において、上記の如く粉剤ノズル１１により滞留用凹部１２の奥部内面に向けて粉剤Ｐをキャリア空気ａ４とともに噴霧することにより、粉剤Ｐを伴う空気流の適当時間にわたる渦流的な滞留を滞留用凹部１２において生じさせる。
【００７５】
そして、この渦流的な滞留による粉剤攪拌を伴いながら粉剤Ｐを滞留用凹部１２において流入口１０の横幅方向へ拡散させて、その拡散した粉剤Ｐを滞留用凹部１２の下向き開口を通じて流入口１０における被処理空気ＥＡの通過流に徐々に取り込ませるようにし、これにより、粉剤ノズル１１から噴霧した粉剤Ｐを流入口１０の横幅方向において均一に分散させた状態で被処理空気ＥＡに含ませる。
【００７６】
また、滞留用凹部１２の上流側垂れ壁１２ａ及び下流側垂れ壁１２ｂの夫々により滞留用凹部１２における拡散状態の粉剤Ｐを空気流とともに下向きにも案内し、これにより、粉剤Ｐを流入口１０の高さ方向（短辺方向）についても効果的に分散させた状態で被処理空気ＥＡに含ませる。
【００７７】
さらに、下流側垂れ壁１２ｂによる案内で形成した下向き流により流入口１０における被処理空気ＥＡの通過流を適度に斜め下向きに向き変化させて、被処理空気ＥＡの通過流に含ませた粉剤Ｐの一部を傾斜底１３の下流側部分に至らせるとともに、その粉剤Ｐを、上流側立上り壁１３ａの影響で傾斜底１３上に形成される渦流的な滞留をもって傾斜底１３上に拡げた状態に保持し、これにより、粉剤層を傾斜底１３上にも形成して傾斜底１３への塗料ミスト付着も防止する。
【００７８】
そしてまた、上記の如く流入口１０の角筒構造における下流側開口１０ｂを上流側開口１０ａよりも低位置にしたことで、流入口１０を斜め下向きに通過させた被処理空気ＥＡを斜め下向きから上向きへ大きく向き変化させて上方のフィルタ８に向わせるようにし、このことでも、被処理空気ＥＡ中における粉剤Ｐの拡散を一層促進する。
【００７９】
なお、１１ａは粉剤ノズル１１に取り付けた三角板状の拡散補助具であり、この拡散補助具１１ａを配置することで、流入口１０を通過する被処理空気ＥＡ、及び、滞留用凹部１２において粉剤Ｐを伴う状態で渦流的に滞留する空気を、流入口１０の横幅方向における一方側と他方側とへの向き変化を伴う状態で分流し、この分流に伴う被処理空気ＥＡ及び渦流的滞留空気の向き変化により、滞留用凹部１２での粉剤Ｐの流入口横幅方向への拡散を一層促進し、また、粉剤Ｐを滞留用凹部１２から被処理空気ＥＡの通過流に取り込ませる過程での粉剤Ｐの拡散も促進する。
【００８０】
また、滞留用凹部１２の上流側上底部を形成する上流側傾斜壁面１２ｃにおいて上流側垂れ壁１２ａの近傍箇所には、下方に向かって滞留用凹部１２内に突出する拡散補助突起１２ｄを備えさせてあり、上記の如く渦流的な滞留域を滞留用凹部１２における上流側部分において効果的に生じさせることにおいて、粉剤ノズル１１から噴出した粉剤Ｐ及びキャリア空気ａ４の一部を上流側傾斜底壁面１２ｃによる案内下において拡散補助突起１２ｄに衝突させることで、粉剤Ｐの流入口横幅方向への拡散を助長し、これにより、渦流的な滞留による攪拌を伴う滞留用凹部１２での粉剤Ｐの流入口横幅方向へ拡散をさらに効果的に促進する。
【００８１】
図２，図４に示すように、各フィルタ装置５の内部においてフィルタ８の下方で流入口１０の下流側開口１０ｂより低い装置底部には、逆錐形状の２つの受入ホッパ１４を２つの流入口１０に対し各別に対応させてブース長手方向に並べた状態に配置してあり、これら２つの受入ホッパ１４夫々の底部には粉剤排出口１４ａを形成してある。
【００８２】
また、各フィルタ装置５には、フィルタ８に対して被処理空気ＥＡの通過方向とは逆向きの逆洗状態で圧縮空気をパルス的に作用させるフィルタ再生装置１５を装備してあり、このフィルタ再生装置１５を適時作動させることで、塗料ミスト含有率がある程度大きくなったフィルタ被覆層としての粉剤集積層をフィルタ表面から脱落させてフィルタ８を再生する前述のフィルタ再生処理を行う。
【００８３】
そして、このフィルタ再生処理の際、フィルタ８の表面から落下する塗料ミスト含有状態の粉剤集積層（即ち、塗料ミスト含有状態の粉剤Ｐ）をフィルタ下方の受入ホッパ１４に受け入れる。
【００８４】
各受入ホッパ１４の下方には、受入ホッパ１４に受け入れた塗料ミスト含有状態の粉剤Ｐを受入ホッパ底部の粉剤排出口１４ａを通じてタンク内に落下させる粉剤タンク１６を連設してあり、また、受入ホッパ１４と粉剤タンク１６との間には、粉剤排出口１４ａを開閉する水平姿勢の仕切扉１７を設けてあり、この仕切扉１７の開き操作により、受入ホッパ１４に受け入れた塗料ミスト含有状態の粉剤Ｐを粉剤タンク１６の内部に落下させてタンク内に回収し、この仕切扉１７の閉じ操作により粉剤収容状態の粉剤タンク１６を密閉化する。
【００８５】
粉剤タンク１６の底部には、周密な微細気孔の存在より加圧空気の透過を許す通気性材により形成した散気板１８を平面視で粉剤タンク１６の全体にわたらせて配置し、この散気板１８により粉剤タンク１６の内部は、空気路を通じ撹拌用空気ａ１が加圧供給される下側の加圧空気室１６ａと、仕切扉１７の開き操作により粉剤排出口１４ａを通じて受入ホッパ１４に連通する上側の粉剤収容室１６ｂとに仕切ってある。
【００８６】
また、粉剤タンク１６の内部には、加圧空気室１６ａの上側で粉剤収容室１６ｂに隣接する粉剤送出室１６ｃを形成してあり、粉剤収容室１６ｂと粉剤送出室１６ｃとを仕切る仕切壁１９の下端部には、粉剤収容室１６ｂと粉剤送出室１６ｃとを連通させる連通口として、粉剤収容室１６ａから粉剤送出室１６ｃへ空気とともに流入する粉剤Ｐの流入量を通気抵抗により制限する絞り開口１９ａを形成してある。
【００８７】
そして、粉剤収容室１６ｂ及び粉剤送出室１６ｃの夫々には、空気路を通じ供給される撹拌用空気ａ２，ａ３を各室内に噴出する撹拌用ノズル２０ａ，２０ｂを装備してある。
【００８８】
つまり、粉剤タンク１６の粉剤収容室１６ｂでは、加圧空気室１６ａから散気板１８を透過して粉剤収容室１６ｂに対し上向きに噴出する撹拌用空気ａ１により粉剤収容室１６ｂにおける収容粉剤Ｐを分散状態で上昇させて室内浮遊させ、また、撹拌用ノズル２０ａから噴出する撹拌用空気ａ２により室内空気を対流的に撹拌する状態にして粉剤収容室１６ｂにおける浮遊粉剤Ｐを対流的に撹拌し、これにより、仕切扉１７が閉じられて密閉化された粉剤タンク１６において、粉剤収容室１６ｂにおける粉剤Ｐを単に解して流動化するに止まらず均一な浮遊分散状態（即ち、粉剤収容室１６ｂにおける空気中の粉剤濃度を均一化した状態）に保つ。
【００８９】
粉剤収容室１６ｂにおいて浮遊分散状態にした粉剤Ｐは仕切壁１９の絞り開口１９ａ及び粉剤送出室１６ｃを通じてタンク外に送出するが、この際、絞り開口１９ａの通気抵抗により、粉剤収容室１６ｂにおける粉剤Ｐの均一な浮遊分散状態を安定的に保つとともに、浮遊分散状態にある粉剤Ｐを粉剤収容室１６ｂから粉剤送出室１６ｃへ安定的に流入させる。
【００９０】
また、粉剤送出室１６ｃにおいても散気板１８から上向きに噴出する撹拌用空気ａ１及び撹拌用ノズル２０ｂから噴出する撹拌用空気ａ３により粉剤送出室１６ｃにおける粉剤Ｐを均一な浮遊分散状態に保つ。
【００９１】
即ち、粉剤タンク１６における散気板１８及び撹拌用ノズル２０ａ，２０ｂは、密閉化した粉剤タンク１６の内部で粉剤Ｐを均一な浮遊分散状態に分散させてタンク内における空気中の粉剤濃度を均一化する粉剤分散手段を構成する。
【００９２】
粉剤ノズル１１にフィルタ被覆層形成用の粉剤Ｐを供給する粉剤供給路２１は、粉剤タンク１６の粉剤送出室１６ｃから延出させて対応する粉剤ノズル１１に接続してあり、これにより、各フィルタ装置５における１つの流入口１０ごとに、粉剤ノズル１１→受入ホッパ１４→粉剤タンク１６→粉剤供給路２１の順に連なる粉剤循環系を形成してある。
【００９３】
粉剤ノズル１１への粉剤供給路２１には、空気路を通じ供給される圧縮空気ａ４の通過に伴い形成される負圧により粉剤タンク１６の粉剤収容室１６ｂにおける粉剤Ｐを粉剤送出室１６ｃを通じ吸入し、そして、負圧形成後の圧縮空気ａ４をキャリア空気として吸入粉剤Ｐをキャリア空気ａ４とともに粉剤供給路２１を通じて粉剤ノズル１１に送給する噴出用空気搬送手段としてのエゼクタ２２を介装してあり、粉剤ノズル１１は、このエゼクタ２２により供給される粉剤Ｐをキャリア空気ａ４とともに流入口１０において被処理空気ＥＡに噴霧する。
【００９４】
また、エゼクタ２２に供給する圧縮空気ａ４の流量を調整して粉剤ノズル１１に対する粉剤Ｐの供給流量を調整することで、粉剤ノズル１１から噴霧する粉剤Ｐの単位時間当たりの噴霧量を被処理空気ＥＡの風量や被処理空気ＥＡにおける塗料ミスト濃度などに応じて調整する。
【００９５】
つまり、粉剤ノズル１１にフィルタ被覆層形成用の粉剤Ｐを供給するのに、上記の如く粉剤タンク１６において粉剤Ｐを均一な浮遊分散状態にし、その浮遊分散状態の粉剤Ｐをエゼクタ２２によりキャリア空気ａ４とともに粉剤供給路２１を通じ粉剤ノズル１１に供給することで、粉剤供給路２１でのキャリア空気中における粉剤Ｐの浮遊分散状態（換言すれば、キャリア空気中における粉剤濃度）を効果的に均一化し、これにより、被処理空気ＥＡに対する粉剤ノズル１１からの粉剤噴霧を均一で良好な噴霧するとともに、その良好な粉剤噴霧を安定的に保つ。
【００９６】
そして、粉剤タンク１６における粉剤Ｐの残量がある程度まで減少すると、仕切扉１７を開いて、仕切扉１７が閉じ状態にあった間のフィルタ再生処理により受入ホッパ１４に堆積した塗料ミスト含有状態の粉剤Ｐを粉剤タンク１６の粉剤収容室１６ｂに落下させて回収し、その回収後、仕切扉１７を再び閉じて粉剤タンク１６を密閉化した状態で粉剤収容室１６ｂにおける粉剤Ｐを均一な浮遊分散状態にして、この浮遊分散状態の粉剤Ｐを粉剤供給路２１を通じ粉剤ノズル１１に供給して被処理空気ＥＡに噴霧することで、粉剤Ｐを粉剤ノズル１１→受入ホッパ１４→粉剤タンク１６→粉剤供給路２１の順に循環させる形態で繰り返し使用する。
【００９７】
図４，図５に示す如く、各フィルタ装置５における粉剤タンク１６の粉剤送出室１６ｃには、粉剤ノズル１１への粉剤供給路２１を接続するとともに、粉剤タンク１６の粉剤収容室１６ｂにおける塗料ミスト含有状態の粉剤Ｐを共通の排剤タンク２３に導く粉剤排出路２４を接続してあり、排剤タンク２３には、これら粉剤排出路２４を通じて各フィルタ装置５の粉剤タンク１６から塗料ミスト含有状態の粉剤Ｐをキャリア空気ａ５とともに排出する排出用空気搬送手段としての吸引ファン２３ａを装備してある。なお、粉剤排出路２４は、粉剤送出室１６ｃへの接続に代え、粉剤収容室１６ｂに対し直接的に接続してもい。
【００９８】
一方、各フィルタ装置５における粉剤タンク１６の粉剤収容室１６ｂには、共通の新剤タンク２５から塗料ミスト未混入の新鮮粉剤Ｐを粉剤収容室１６ｂに導く新剤供給路２６を接続してあり、新剤タンク２５には、空気路を通じ供給される圧縮空気をキャリア空気ａ６として、新鮮粉剤Ｐをキャリア空気ａ６とともに新剤供給路２６を通じ各フィルタ装置５における粉剤タンク１６に供給する新剤用空気搬送手段としてのブロータンク２５ａを装備してある。
【００９９】
そして、粉剤排出路２４には粉剤排出対象の粉剤タンク１６を切り換える排剤側切換弁２４ａを装備し、新剤供給路２６には新剤供給対象の粉剤タンク１６を切り換える新剤側切換弁２６ａを装備してある。
【０１００】
２７は各フィルタ装置５に対する共通の制御器であり、この共通制御器２７は次の（イ）〜（ハ）の制御を実行する。
【０１０１】
（イ）フィルタ再生制御
各フィルタ装置５について、設定再生時間Ｔｓごとに（又は、フィルタ８の計測通気抵抗が設定閾抵抗値に至るごとに）、フィルタ再生装置１５を作動させて塗料ミスト含有状態のフィルタ被覆層（粉剤集積層）をフィルタ表面から脱落させ、これにより、フィルタ８を再生する。
【０１０２】
このフィルタ再生は、対応する粉剤タンク１６の仕切扉１７を閉じ状態に保ったままで実施し、フィルタ８から落下する塗料ミスト含有状態の粉剤Ｐ（粉剤集積層）は、対応する受入ホッパ１４に受け入れて堆積させる。
【０１０３】
（ロ）粉剤回収制御
各フィルタ装置５について、設定回収時間Ｔｋ（≧Ｔｓ）ごとに、仕切扉１７を開いて受入ホッパ１４における塗料ミスト含有状態の堆積粉剤Ｐを対応する粉剤タンク１６の粉剤収容室１６ｂに落下させて収容する。
【０１０４】
なお、設定回収時間Ｔｋとしては、仕切扉１７の１回の開き操作で粉剤タンク１６に回収した粉剤Ｐを対応する粉剤ノズル１１からの粉剤噴霧でほぼ使い切る時間を予め設定してある。
【０１０５】
（ハ）粉剤更新制御
各フィルタ装置５について、塗装室２における対応域での被塗物１の処理数が設定閾処理数に達するなど、塗装室２における対応域での塗装作業量が設定閾作業量に達するごとに（又は、仕切扉１７の開き回数が設定閾回数に達するごとに）、仕切扉１７を開き操作して受入ホッパ１４の堆積粉剤Ｐを粉剤タンク１６に落下させ、その後、仕切扉１７を閉じた状態で、粉剤排出路２４における排剤側切換弁２４ａの切り換え操作により、対応する粉剤タンク１６を粉剤排出対象の粉剤タンクに切り換え、これにより、対応する粉剤タンク１６における塗料ミスト含有状態の粉剤Ｐの全量をキャリア空気ａ５とともに粉剤排出路２４を通じて排剤タンク２３に排出する。
【０１０６】
そして、この粉剤Ｐの全量排出に続いて、新剤供給路２６における新剤側切換弁２６ａの切り換え操作により、対応する粉剤タンク１６を新剤供給対象の粉剤タンクに切り換え、これにより、対応する粉剤タンク１６の粉剤収容室１６ｂに対して新剤タンク２５から所定量の新鮮粉剤Ｐをキャリア空気ａ６とともに新剤供給路２６を通じ供給する。
【０１０７】
即ち、この粉剤更新により、各フィルタ装置５での粉剤ノズル１１からの粉剤噴霧によるフィルタ被覆層の形成において、粉剤タンク１６から受入ホッパ１４にわたる粉剤循環系における保有粉剤Ｐの塗料ミスト含有率を上限値以下に保持する。
【０１０８】
〔第２実施形態〕
図６，図７は本発明による塗料ミスト捕集装置の第２実施形態を示し、この第２実施形態の塗料ミスト捕集装置では、上述の第１実施形態で示した塗料ミスト捕集装置において、粉剤タンク１６から受入ホッパ１４にわたる粉剤循環系に対する新鮮粉剤Ｐの供給経路に改変を加えている。
【０１０９】
具体的には、第１実施形態では、新剤タンク２５からの新剤供給路２６を粉剤タンク１６に接続しているのに対し、この第２実施形態では、粉剤ノズル１１に対して連通させる供給路を、供給路切換手段としての三方弁３０により、粉剤タンク１６からの粉剤供給路２１と新剤タンク２５からの新剤供給路２６とに択一的に切り換える構成にしてある。
【０１１０】
つまり、この第２実施形態の塗料ミスト捕集装置では、粉剤更新にあたり、粉剤タンク１６における塗料ミスト含有状態の粉剤Ｐを粉剤排出路２４を通じてキャリア空気ａ５とともに全量排出するのに対し、上記三方弁３０の切り換え操作により粉剤ノズル１１に対する連通供給路を新剤タンク２５からの新剤供給路２６に切り換えた状態にして、その新剤供給路２６を通じキャリア空気ａ６とともに新剤タンク２５から供給される新鮮粉剤Ｐを粉剤ノズル１１に送給して粉剤ノズル１１から被処理空気ＥＡに噴霧し、これにより、粉剤タンク１６から受入ホッパ１４にわたる粉剤循環系に所定量の新鮮粉剤Ｐを供給して粉剤更新を行う。
【０１１１】
そして、この第２実施形態の塗料ミスト捕集装置では、この新剤供給形態を採ることで、仕切扉１７を閉じた状態で粉剤タンク１６における塗料ミスト含有状態の粉剤Ｐを粉剤排出路２４を通じてキャリア空気ａ５とともに全量排出するのに併行して、粉剤ノズル１１から新鮮粉剤Ｐを噴霧する同時進行形態で粉剤更新を行えるようにして、粉剤更新中にも粉剤ノズル１１からの粉剤噴霧を伴う塗料ミスト捕集を通常時と同様に安定した状態で継続することができるようにしてある。
【０１１２】
即ち、この第２実施形態の塗料ミスト捕集装置において、共通制御器２７は、フィルタ再生制御及び粉剤回収制御については第１実施形態の塗料ミスト捕集装置と同様、次の（イ），（ロ）の如く制御動作するのに対し、粉剤更新制御については次の（ハ′）の如く制御動作する。
【０１１３】
（イ）フィルタ再生制御
各フィルタ装置５について、設定再生時間Ｔｓごとに（又は、フィルタ８の計測通気抵抗が設定閾抵抗値に至るごとに）、フィルタ再生装置１５を作動させて塗料ミスト含有状態のフィルタ被覆層（粉剤集積層）をフィルタ表面から脱落させ、これにより、フィルタ８を再生する。
【０１１４】
このフィルタ再生は、対応する粉剤タンク１６の仕切扉１７を閉じ状態に保ったままで実施し、フィルタ８から落下する塗料ミスト含有状態の粉剤Ｐ（粉剤集積層）は、対応する受入ホッパ１４に受け入れて堆積させる。
【０１１５】
（ロ）粉剤回収制御
各フィルタ装置５について、設定回収時間Ｔｋ（≧Ｔｓ）ごとに、仕切扉１７を開いて受入ホッパ１４における塗料ミスト含有状態の堆積粉剤Ｐを対応する粉剤タンク１６の粉剤収容室１６ｂに落下させて収容する。
【０１１６】
なお、設定回収時間Ｔｋとしては、仕切扉１７の１回の開き操作で粉剤タンク１６に回収した粉剤Ｐを対応する粉剤ノズル１１からの粉剤噴霧でほぼ使い切る時間を予め設定してある。
【０１１７】
（ハ′）粉剤更新制御
各フィルタ装置５について、塗装室２における対応域での被塗物１の処理数が設定閾処理数に達するなど、塗装室２における対応域での塗装作業量が設定閾作業量に達するごとに（又は、仕切扉１７の開き回数が設定閾回数に達するごとに）、仕切扉１７を開き操作して受入ホッパ１４の堆積粉剤Ｐを粉剤タンク１６に落下させ、その後、仕切扉１７を閉じた状態で、粉剤排出路２４における排剤側切換弁２４ａの切り換え操作により、対応する粉剤タンク１６を粉剤排出対象の粉剤タンクに切り換え、これにより、対応する粉剤タンク１６における塗料ミスト含有状態の粉剤Ｐの全量をキャリア空気ａ５とともに粉剤排出路２４を通じて排剤タンク２３に排出する。
【０１１８】
また、この粉剤Ｐの全量排出に併行して、上記三方弁３０の切り換え操作により対応の粉剤ノズル１１に対する連通供給路を新剤タンク２５からの新剤供給路２６に切り換えるとともに、新剤供給路２６における新剤側切換弁２６ａの切り換え操作により、対応の粉剤ノズル１１を新剤供給対象の粉剤ノズルに切り換え、これにより、対応する粉剤ノズル１１に対し新剤タンク２５から所定量の新鮮粉剤Ｐをキャリア空気ａ６とともに新剤供給路２６を通じ供給して、その新鮮粉剤Ｐをキャリア空気ａ６とともに対応の粉剤ノズル１１から被処理空気ＥＡに噴霧させる形態で、粉剤更新を行いながら塗料ミスト捕集運転を継続する。
【０１１９】
そして、その後、フィルタ再生制御及び粉剤回収制御の段階で、三方弁３０の切り換え操作により対応の粉剤ノズル１１に対する連通供給路を対応の粉剤タンク１６からの粉剤供給路２１に切り換え、これにより、粉剤タンク１６→粉剤ノズル１１→受入ホッパ１４の順に粉剤Ｐを循環させる形態での通常の塗料ミスト捕集運転に復帰する。
【０１２０】
なお、この第２実施形態の塗料ミスト捕集装置では、新剤タンク２５からロータリバルブ２５ｂを通じて取り出した新鮮粉剤Ｐを圧送ブロア２５ｃによりキャリア空気ａ６とともに新剤供給路２６を通じて各粉剤ノズル１１に供給するようにしている。
その他の点については第１実施形態の塗料ミスト捕集装置と同じである。
【０１２１】
〔第３実施形態〕
図８，図９は本発明による塗料ミスト捕集装置の第３実施形態を示し、この第３実施形態の塗料ミスト捕集装置では、前述の第１，第２実施形態で示した塗料ミスト捕集装置において、複数のフィルタ装置５における粉剤タンク１６を共通化する改変を加えている。
【０１２２】
具体的には、第１，第２実施形態では、フィルタ８と粉剤ノズル１１と受入ホッパ１４とを備える塗料ミスト捕集部としての各フィルタ装置５において、各受入ホッパ１４に対して各別の粉剤タンク１６を連設しているのに対し、この第３実施形態では、複数のフィルタ装置５に対する共通の粉剤タンク１６Ａを設け、この共通粉剤タンク１６Ａを各フィルタ装置５とは別置きで適当箇所に設置してある。
【０１２３】
そして、塗装ブース長手方向に並べて配置した複数のフィルタ装置５夫々の粉剤ノズル１１に対し共通粉剤タンク１６Ａから各別に延出した粉剤供給路２１を接続するとともに、それら粉剤供給路２１の夫々に噴霧用空気搬送手段としてのエゼクタ２２を介装してある。
【０１２４】
また、各フィルタ装置５夫々の受入ホッパ１４について、それら受入ホッパ１４における堆積粉剤Ｐを共通粉剤タンク１６Ａに導く各別の粉剤還流路３１を設け、これに対し、共通粉剤タンク１６Ａには、各受入ホッパ１４における堆積粉剤Ｐをキャリア空気ａ７とともに粉剤還流路３１を通じて共通粉剤タンク１６Ａに戻す還流用空気搬送手段としてのバキューム装置３２を装備し、各粉剤還流路３１には、粉剤還流対象の受入ホッパ１４を選択するための還流切換弁３１ａを介装してある。
【０１２５】
共通粉剤タンク１６Ａの底部には、周密な微細気孔の存在より加圧空気の透過を許す通気性材により形成した散気板１８を平面視で共通粉剤タンク１６Ａの全体にわたらせて配置し、この散気板１８により共通粉剤タンク１６Ａの内部は、空気路を通じ撹拌用空気ａ１が加圧供給される下側の加圧空気室１６ａと、バキューム装置３２により吸引した各受入ホッパ１４からの戻り粉剤Ｐを収容する上側の粉剤収容室１６ｂとに仕切ってあり、粉剤収容室１６ｂには、空気路を通じ供給される撹拌用空気ａ２を室内に噴出する撹拌用ノズル２０ａ装備してある。
【０１２６】
つまり、第１，第２実施形態での各粉剤タンク１６と同様、この共通粉剤タンク１６Ａの粉剤収容室１６ｂでは、加圧空気室１６ａから散気板１８を透過して粉剤収容室１６ｂに対し上向きに噴出する撹拌用空気ａ１により粉剤収容室１６ｂにおける収容粉剤Ｐを分散状態で上昇させて室内浮遊させ、また、撹拌用ノズル２０ａから噴出する撹拌用空気ａ２により室内空気を対流的に撹拌する状態にして粉剤収容室１６ｂにおける浮遊粉剤Ｐを対流的に撹拌し、これにより、常時密閉化された共通粉剤タンク１６Ａにおいて、粉剤収容室１６ｂにおける粉剤Ｐを単に解して流動化するに止まらず均一な浮遊分散状態（即ち、粉剤収容室１６ｂにおける空気中の粉剤濃度を均一化した状態）に保つ。
【０１２７】
即ち、この第３実施形態の塗料ミスト捕集装置においても、第１，第２実施形態の塗料ミスト捕集装置と同様に、各フィルタ装置５の粉剤ノズル１１にフィルタ被覆層形成用の粉剤Ｐを供給するのに、上記の如く共通粉剤タンク１６Ａにおいて粉剤Ｐを均一な浮遊分散状態にし、その浮遊分散状態の粉剤Ｐをエゼクタ２２によりキャリア空気ａ４とともに粉剤供給路２１を通じ各粉剤ノズル１１に供給することで、粉剤供給路２１でのキャリア空気中における粉剤Ｐの浮遊分散状態（換言すれば、キャリア空気中における粉剤濃度）を効果的に均一化し、これにより、被処理空気ＥＡに対する粉剤ノズル１１からの粉剤噴霧を均一で良好な噴霧するとともに、その良好な粉剤噴霧を安定的に保つ。
【０１２８】
共通粉剤タンク１６Ａの粉剤収容室１６ｂには、各粉剤ノズル１１への粉剤供給路２１を接続するとともに、粉剤収容室１６ｂにおける塗料ミスト含有状態の粉剤Ｐを共通の排剤タンク２３に導く粉剤排出路２４を接続してあり、排剤タンク２３には、これら粉剤排出路２４を通じて共通粉剤タンク１６Ａの粉剤収容室１６ｂから塗料ミスト含有状態の粉剤Ｐをキャリア空気ａ５とともに排出する排出用空気搬送手段としての吸引ファン２３ａを装備してある。
【０１２９】
また、共通粉剤タンク１６Ａの粉剤収容室１６ｂには、共通の新剤タンク２５から塗料ミスト未混入の新鮮粉剤Ｐを粉剤収容室１６ｂに導く新剤供給路２６を接続してあり、新剤タンク２５には、空気路を通じ供給される圧縮空気をキャリア空気ａ６として、新鮮粉剤Ｐをキャリア空気ａ６とともに新剤供給路２６を通じ共通粉剤タンク１６Ａの粉剤収容室１６ｂに供給する新剤用空気搬送手段としてのブロータンク２５ａを装備してある。
【０１３０】
そして、この第３実施形態の塗料ミスト捕集装置において共通制御器２７は、次の（ニ）〜（へ）の制御を実行する。
【０１３１】
（ニ）フィルタ再生制御
各フィルタ装置５について、設定再生時間Ｔｓごとに（又は、フィルタ８の計測通気抵抗が設定閾抵抗値に至るごとに）、フィルタ再生装置１５を作動させて塗料ミスト含有状態のフィルタ被覆層（粉剤集積層）をフィルタ表面から脱落させ、これにより、フィルタ８を再生する。
【０１３２】
そして、フィルタ８から落下する塗料ミスト含有状態の粉剤Ｐ（粉剤集積層）は、対応する受入ホッパ１４に受け入れて堆積させる。
【０１３３】
（ホ）粉剤回収制御
還流切換弁３１ａの開閉操作により複数のフィルタ装置５の各受入ホッパ１４を順次に粉剤還流対象の受入ホッパにする形態で、それら複数のフィルタ装置５の各受入ホッパ１４における塗料ミスト含有状態の堆積粉剤Ｐを設定回収時間Ｔｋ（≧Ｔｓ）ごとに対応の粉剤還流路３１を通じてキャリア空気ａ７とともに共通粉剤タンク１６Ａの粉剤収容室１６ｂに回収する。
【０１３４】
（へ）粉剤更新制御
塗装室２における対応域（ここでは、１つの共通粉剤タンク１６Ａを共用する複数のフィルタ装置５についての対応域）での被塗物１の処理数が設定閾処理数に達するなど、塗装室２における対応域での塗装作業量が設定閾作業量に達するごとに（又は、各受入ホッパ１４からの粉剤戻し回数が設定閾回数に達するごとに）、共通粉剤タンク１６における塗料ミスト含有状態の粉剤Ｐの全量をキャリア空気ａ５とともに粉剤排出路２４を通じて排剤タンク２３に排出する。
【０１３５】
そして、この粉剤Ｐの全量排出に続いて、共通粉剤タンク１６の粉剤収容室１６ｂに対して新剤タンク２５から所定量の新鮮粉剤Ｐをキャリア空気ａ６とともに新剤供給路２６を通じて供給する。
【０１３６】
即ち、この粉剤更新により、各フィルタ装置５での粉剤ノズル１１からの粉剤噴霧によるフィルタ被覆層の形成において、共通粉剤タンク１６Ａ→粉剤ノズル１１→受入ホッパ１４の順に循環させる粉剤Ｐの塗料ミスト含有率を上限値以下に保持する。
【０１３７】
なお、この第３実施形態の塗料ミスト捕集装置については、各フィルタ装置５における受入ホッパ１４の傾斜側壁に、空気路を通じ供給される圧縮空気ａ８により振動を発生してその発生振動を受入ホッパ１４の傾斜側壁に伝播させるブリッジブレーカ３３を装備してある。
【０１３８】
つまり、各受入ホッパ１４における堆積粉剤Ｐを粉剤還流路３１を通じて共通粉剤タンク１６Ａに戻す際には、このブリッジブレーカ３３を振動動作させることで、受入ホッパ１４内の堆積粉剤Ｐを確実に受入ホッパ１４の底部（即ち、粉剤還流路３１の入口開口部）に滑落させるようにしてある。
【０１３９】
その他の点については第１，第２実施形態の塗料ミスト捕集装置と同じである。
【０１４０】
〔別実施形態〕
次に本発明の別実施形態を列記する。
【０１４１】
フィルタ装置５は、複数のフィルタ８を横向き姿勢で内装するものに限らず、単数ないし複数のフィルタ８を縦姿勢や斜め姿勢で内装するものであってもよい。
【０１４２】
粉剤ノズル１１の配置箇所は、フィルタ装置５の流入口１０に限られるものではなく、塗装室２から排出される被処理空気ＥＡをフィルタ８に導く導風路であれば、いずれの箇所に配置してもよい。
【０１４３】
密閉化した粉剤タンク１６，１６Ａにおいてタンク内に収容した粉剤Ｐを均一な浮遊分散状態に分散させてタンク内における空気中の粉剤濃度を均一化する粉剤分散手段は、前述の各実施形態で示した散気板１８や撹拌用ノズル２０ａ，２０ｂに限られるものではなく、タンク内の粉剤Ｐを均一な浮遊分散状態に分散させ得るものであれば種々の方式のものを採用することができる。
【０１４４】
粉剤タンク１６，１６Ａにおける浮遊分散状態の粉剤Ｐをキャリア空気ａ４とともに粉剤供給路２１を通じて粉剤ノズル１１に供給する噴霧用空気搬送手段はエゼクタ２２に限らず、種々の空気搬送方式のものを採用することができる。
【０１４５】
フィルタ８の表面から塗料ミスト含有状態の粉剤Ｐを落下させてフィルタ８を再生するフィルタ再生手段は、フィルタ８に対し被処理空気ＥＡの通過向きとは逆向きに圧縮空気をパルス的に作用させる方式のものや、フィルタ８に対し機械的に振動を付与する方式のものを初め、どのような再生方式のものであってもよい。
【０１４６】
粉剤タンク１６，１６Ａに収容された塗料ミスト含有状態の粉剤Ｐをキャリア空気ａ５とともに粉剤排出路２４を通じて粉剤タンク１６，１６Ａから排出する排出用空気搬送手段、及び、塗料ミスト未混入の新鮮粉剤Ｐをキャリア空気ａ６とともに新剤供給路２６を通じて粉剤タンク１６，１６Ａ又は粉剤ノズル１１に供給する新剤用空気搬送手段には、前述の各実施形態で示した方式のものに限らず、種々の空気搬送方式のものを採用することができる。
【０１４７】
また、受入ホッパ１４の内部に堆積した塗料ミスト含有状態の粉剤Ｐをキャリア空気ａ７とともに粉剤還流路３１を通じて粉剤タンク１６Ａに戻す還流用空気搬送手段も、前述の第３実施形態で示したものに限らず、種々の搬送方式のものを採用することができる。
【０１４８】
前述の各実施形態では、塗装室２から排出される被処理空気ＥＡに含まれる塗料ミストを並列配置の複数のフィルタ装置５により分担して捕集するものを示したが、本発明は塗装室２から排出される被処理空気ＥＡに含まれる塗料ミストを単数のフィルタ装置５により捕集するものにも適用することができる。
【０１４９】
塗装室２において塗装する被塗物１は、自動車ボディに限らず、バンパー等の自動車部部品、軌道車両や飛行機のボディ、家電製品、鋼材など、どのようなものであってよい。
【産業上の利用可能性】
【０１５０】
本発明による塗料ミスト捕集装置は、塗料ミストを含む被処理空気ＥＡの排出がある各種分野における種々の塗装設備において利用することができる。
【符号の説明】
【０１５１】
２                    塗装室
ＥＡ                  被処理空気
８                    フィルタ
１０                  導風路
Ｐ                    粉剤
１１                  粉剤ノズル
１６，１６Ａ          粉剤タンク
１８                  粉剤分散手段，散気板
２０ａ，２０ｂ        粉剤分散手段，撹拌用ノズル
ａ４                  キャリア空気
２１                  粉剤供給路
２２                  噴霧用空気搬送手段，エゼクタ
１５                  フィルタ再生手段
１４                  受入ホッパ
１４ａ                粉剤排出口
１７                  仕切扉
ａ５                  キャリア空気
２４                  粉剤排出路
２３ａ                排出用空気搬送手段
ａ６                  キャリア空気
２６                  新剤供給路
２５ａ                新剤用空気搬送手段
３０                  供給路切換手段
Ｔｋ                  設定回収時間
２７                  制御手段
ａ７                  キャリア空気
３１                  粉剤還流路
３２                  還流用空気搬送手段
５                    塗料ミスト捕集部
１６ｂ                粉剤収容室
ａ１                  撹拌用空気
１６ａ                加圧空気室
１６ｃ                粉剤送出室
１９                  仕切壁
１９ａ                絞り開口
【図１】
0005988956.tif 000002
【図２】
0005988956.tif 000003
【図３】
0005988956.tif 000004
【図４】
0005988956.tif 000005
【図５】
0005988956.tif 000006
【図６】
0005988956.tif 000007
【図７】
0005988956.tif 000008
【図８】
0005988956.tif 000009
【図９】
0005988956.tif 000010